Podtech/llm-jp-corpus-v4-ja_patent huggingface dataset:
(57)【要約】【課題】寿司等の巻物や押し寿司等の製造に用いる巻き簾の形状は、巻物等の形を一定に固定することが不可能で、製造者の手により形を整えるため、完成品を一定にすることが困難であった。また、海苔等を巻き簾にのせた時もすべりやすく、糸で留めてある簾状なので、ご飯粒等が細い隙間に付着しやすく、衛生的な使用と管理がしにくかった。【解決手段】巻き簾本体１に製造品の曲げる目安となる部分を設ける。曲げる目安となる部分は、たとえば完成品の大きさ（幅）に併わせた可動部分２である。また、酢飯（シャリ）等の量を一定に詰めるための目安を設ける。酢飯（シャリ）等を詰める目安は例えば、突起３の高さを詰める具材の目安位置と同じ高さとして設ける。また、本体１にのせた海苔が動かないようにすべり止めを設ける。すべり止めは例えば、海苔の幅に併せた突起３である。【選択図】図１
2009011297.tif 000002
【特許請求の範囲】
【請求項１】
製造品の大きさの目安となる曲げる位置と、すべり止めを設けたことを特徴とする巻き簾（巻き型）。
【請求項２】
前記曲げる位置は、寿司等の巻物や押し寿司等の製造品の基準幅に併せた位置でしか曲がらない可動部分であることを特徴とする請求項１記載の巻き簾（巻き型）。また、前記すべり止めは、製造時に目安となる高さに調整した突起であることを特徴とする請求項１記載の巻き簾（巻き型）。
【発明の詳細な説明】
【技術分野】
【０００１】  この発明は、寿司等の巻物や押し寿司等の製造に用いる巻き簾（巻き型）の形状に関する。
【背景技術】
【０００２】  従来の寿司等の巻物や押し寿司等の製造に用いる巻き簾は、図５に示すように、巻き簾の本体は、竹状と糸を使用した、全体的に細い隙間の入った簾状である。
【発明の開示】
【発明が解決しようとする課題】
【０００３】  しかしながら、以上の技術によれば、製造者の、技量や具材の大きさ、体力等により、寿司等の巻物や押し寿司等を一定水準（縦幅、横幅、重さの水準）で製造することが困難であり、巻き簾に置いた海苔が、酢飯（シャリ）を広げる際等に製造者の力の入れ方によっては、すべりやすかった。
具材や酢飯（シャリ）の量を量って一定にしても、形を整形する時点で、手の大きさや力加減で、完成品の大きさに差が出て、一定水準を保った寿司等の巻物や押し寿司等を製造するのは難しかった。また、本体の竹状と竹状の細い隙間に具材や、酢飯等が入り込み易く、糸も切れやすいので、掃除に手間がかかり、衛生的な管理が難しかった。【０００４】  そこで、この発明は、本体に置く海苔等がすべらず、誰が造っても完成品が一定水準になり、商品製造時に巻き簾（巻き型）本体の隙間への材料等の入り込みをなくし、掃除がしやすく、衛生的な使用と保管が可能な巻き簾（巻き型）を提供することを課題とする。
【課題を解決するための手段】
【０００５】  以上の課題を解決するために、第一発明は、寿司等の巻物に使用する海苔の幅に併せたすべり止め（突起）を設けたことを特徴とする巻き簾（巻き型）である。
また、第二発明は、寿司等の巻物に使用する海苔の幅に併せたすべり止め（突起）を設け、この突起は酢飯（シャリ）等の詰める高さの目安位置に設置した高さを特徴とする巻き簾（巻き型）である。
また、第三発明は、寿司等の巻物や押し寿司等の製造時に、一定水準の大きさに定めた位置でしか曲がらない、固定した可動部分を複数設けたことを特徴とする巻き簾（巻き型）である。
【発明の効果】
【０００６】  第一発明、または第二発明によれば、巻き簾に、酢飯（シャリ）等を詰める目安位置に併せた高さのすべり止めの突起を設けたので、海苔等がすべりにくく、具材が詰めやすい。また、第三発明によれば、一定の場所でしか曲がらない可動部分を設けたので、誰が作っても完成品の大きさが一定しやすく、隙間がないので衛生的に扱いやすい。
【発明を実施するための最良の形態】
【０００７】  この発明の一実施形態を、図１に示す。
巻き簾本体１は、ある程度の硬さ（低発砲塩ビ板の厚さ３ｍｍ位の固さ）であり、衛生的に問題のない材質であることを条件とし、この本体１の側面には、酢飯（シャリ）等を詰める目安位置に設定した高さの突起３が一体的に設けられている。この本体１には可動部分２が多数設けられている。この側面の突起３の側面には固定補助５が設けられている。【０００８】「実施形態の効果」
この実施形態によれば、可動部分２の働きで、画一的な製造が可能である。したがって、製造者の技量に関らず、完成品の大きさが一定に保てる。突起３の働きで、酢飯（シャリ）等の詰める高さの目安になり、詰めやすい。固定補助５の働きで、製造中の寿司等の巻物や押し寿司等を放置しても、自然に広がったり、崩れたりする心配がない。力を入れずに巻ける為、大量生産でも製造者の手が痛くならない。簾上の細い隙間が無い為にご飯粒等の汚れがつきにくい。掃除がしやすく衛生的である。【０００９】「他の実施形態」
図１の実施形態では、太巻き製造に水準を併せた可動部分２であったが、他の実施形態では、寿司等の他の巻物の種類（細巻き・中巻き等）の製造に水準を併せた本体幅を設け、突起３の高さ４も、他の巻物等に併せた酢飯（シャリ）等の詰める高さの目安位置に設けたものでも良い。
【図面の簡単な説明】
【００１０】
【図１】この発明の一実施形態を示す斜視図である。
【図２】この発明の一実施形態を示す側視図である。
【図３】この発明の一実施形態の変形途中を示す斜視図である。
【図４】この発明の一実施形態の完成時を示す斜視図である。
【図５】従来技術を示す斜視図である。
【符号の説明】
【００１１】    １  巻き簾（巻き型）本体          ２  可動部分
３  突起（すべり止め）            ４  突起（すべり止め）の高さ
５  固定補助
【図１】
2009011297.tif 000003
【図２】
2009011297.tif 000004
【図３】
2009011297.tif 000005
【図４】
2009011297.tif 000006
【図５】
2009011297.tif 000007
(57)【要約】    【課題】合成樹脂製ハトメを対象生地に熱プレスすることにより、ストレッチ生地にも使用可能なハトメの取付方法を提供する。    【解決手段】背面にホットメルト加工を施した合成樹脂製の平板ハトメを用意する工程と、取付対象の生地に孔を開ける工程と、ハトメの孔と生地の孔を重ねて熱プレスする工程からなることを特徴とする合成樹脂製ハトメの取付方法である。ハトメの孔と生地の孔を重ねて熱プレスする工程の前に、アイロンにより仮接着工程を設けるのが好ましい。前記ハトメの接着は、取付対象生地の片面でもよいが、両面に施こしてもよい。【選択図】図２
2009011618.tif 000002
【特許請求の範囲】
【請求項１】
合成樹脂製の孔開き平板部材であり、背面にホットメルト加工を施したことを特徴とするハトメ（１）。
【請求項２】
ハトメ（１）の前記孔開き平板部材の内径（ｂ）が、取付対象の生地（３）の孔（２）の直径（ａ）よりも小さいものである請求項１記載のハトメ。
【請求項３】
予め表面に文字や模様を印刷してある請求項１又は２記載のハトメ。
【請求項４】
前記孔開き平板部材の孔（４）又は外形を丸形状以外の形状とした請求項１ないし３のいずれかに記載のハトメ。
【請求項５】
背面にホットメルト加工を施した合成樹脂製の平板ハトメを用意する工程と、取付対象の生地（３）に孔（２）を開ける工程と、前記平板ハトメの孔（４）と生地の孔（２）を重ねて熱プレスする工程からなることを特徴とする合成樹脂製ハトメの取付方法。
【請求項６】
前記平板ハトメの孔（４）と生地の孔（２）を重ねて熱プレスする工程の前に、アイロンにより仮接着工程を有する請求項５記載の方法。
【請求項７】
前記平板ハトメの接着が取付対象生地の両面に施されている請求項５又は６記載の方法。
【発明の詳細な説明】
【技術分野】
【０００１】
本発明は合成樹脂製のハトメ及びその取付方法に関する。
【背景技術】
【０００２】
通常、ハトメは金属製で、生地の貫通孔を介してかしめられている。金属製ハトメの問題点は、ストレッチ生地に取り付けたとき、脱落しやすいということである。介在する生地が伸びるため、かしめ部分が十分に締め付けられないためである。そのため、そのような目的では、ボタンホールのように貫通孔の縁をかがり縫いしている。本発明は合成樹脂製のハトメを使用することにより、この問題点を克服しようとするものである。
【０００３】
合成樹脂製のハトメ自体は、例えば下記特許文献により公知である。これらは全て生地の貫通孔を介して表面側要素と裏面側要素を組み立てている。
【特許文献１】特開２００５−７１２４
【特許文献２】特開２００４−３２１５４８
【特許文献３】特開２００４−６０８５０
【特許文献４】特開２０００−２４５５０３
【特許文献５】特開平８−２４０１４
【発明の開示】
【発明が解決しようとする課題】
【０００４】
上記のような従来の合成樹脂製のハトメは、金属製のハトメと同じように、表面側要素と裏面側要素の組立てるという取り付け方をするため、やはり、ストレッチ生地に取り付けたとき、脱落しやすいという欠点を免れていない。
【０００５】
本発明は、合成樹脂製ハトメを対象生地に熱プレスすることにより、ストレッチ生地にも使用可能なハトメの取付方法を提供することを目的とする。
【課題を解決するための手段】
【０００６】
本発明のハトメは、合成樹脂製の孔開き平板部材であり、背面にホットメルト加工を施したことを特徴とする。
【０００７】
本発明のハトメの取付方法は、背面にホットメルト加工を施した合成樹脂製の平板ハトメを用意する工程と、取付対象の生地に孔を開ける工程と、前記平板ハトメの孔と生地の孔を重ねて熱プレスする工程からなることを特徴とする。
【発明の効果】
【０００８】
本発明によれば、合成樹脂製ハトメが生地に熱プレスされるため、ストレッチ生地であっても完全に付着し、ハトメが脱落するようなことはない。また、取付も単に生地に当てて熱プレスするだけであり、極めて容易である。さらに、合成樹脂製のため、ハトメの孔や外形を丸形状以外のデザインにすることも出来る。
【発明を実施するための最良の形態】
【０００９】
使用する合成樹脂は、生地に加熱接着可能なものであればどのようなものでもよく、例えばポリウレタン樹脂を使用することができる。厚みは０．５〜３．０ｍｍ程度であることが好ましく、より好ましくは、１．０〜２．０ｍｍである。大きさは用途に合わせて適宜選択できる。
【００１０】
平板なハトメの内径は、取付対象の生地がはみ出さないようにするため、生地の孔の直径よりも小さくしておくことが好ましい。
【００１１】
平板なハトメリングの接着は生地の片面で足りるが、強度が必要なときには両面に施してもよい。
【００１２】
ハトメには予め、文字や模様を印刷しておくこともできる。また、色彩をさまざまに設定することにより取付対象を彩ることもできる。さらに、ハトメの孔や外形を丸形状以外のデザインにすることも出来る。
【実施例１】
【００１３】
以下、添付の図面に基づき、本発明の実施例を説明する。図１（ａ）は本発明のハトメを取り付けた生地の表面図、（ｂ）は裏面図である。図２は、ハトメの取付方法を説明する展開斜視図である。図３はハトメ取付状態の斜視図である。
【００１４】
このハトメ１はポリウレタン製の平板リングであり、裏面にホットメルト加工が施されている。予め孔２を開けた生地３に対して、ハトメ１の孔４と生地の孔２が重なるようにして接着させる。接着方法は、図２に示すように、アイロン等でハトメ１を生地３に仮接着した後、熱プレスにより、完全に接着させる。
【００１５】
生地３にハトメリング１を接着させるとき、生地がはみ出さないようにするため、生地の孔２直径ａよりもリング１の内径ｂの方を大きくすることが好ましい。
【００１６】
図３は、ハトメの取付状態を示している。この実施例では、生地の片面のみにハトメを取り付けているが、両面に取り付けることもできる。図示しないが、このハトメには予め、文字や模様を印刷しておくこともできる。
【図面の簡単な説明】
【００１７】
【図１】（ａ）は本発明のハトメを取り付けた生地の表面図、（ｂ）は裏面図である。
【図２】ハトメの取付方法を説明する展開斜視図である。
【図３】ハトメ取付状態の斜視図である。
【符号の説明】
【００１８】
１     ハトメ
２     生地の孔
３     生地
４     ハトメの孔
ａ     生地の孔直径
ｂ     ハトメ内径
【図１】
2009011618.tif 000003
【図２】
2009011618.tif 000004
【図３】
2009011618.tif 000005
(57)【要約】【課題】殆んどの靴においては、内側にクッション材などを配する構成が採されているが、長く履いていると、踵部などの足と強く当る部分のクッション材の耐久性が特に乏しく、磨耗して破れたり消失して見栄えが悪くなり、靴の硬い素材と足が直接接触して擦れることによって、履いている靴下が短期間で部分的に薄くなったり、破けたり、足にまめが出来たり、靴と足の間にガタが出て履き心地が悪くなるなどの問題点を解決することを課題としている。【解決手段】靴の踵部などの形状に合わせて成形したクッション材に、例えば予め粘着接着剤を塗布した状態の補修用パッドとして市販し、必要とする人がこれを購入して、誰でも極めて簡単に補修出来るようにする手段を採用した。【選択図】  図２
2009011407.tif 000002
【特許請求の範囲】
【請求項１】
中央付近が厚く、隅が薄くなった軟質弾性体を使用した補修用パッド１を被補修箇所の上に接着固定して補修することを特徴とする靴の内側の補修用パッド及びその補修方法。
【請求項２】
一方が平面状、一方が曲面状で、中央付近が厚く、隅が薄くなった軟質弾性体を使用した補修用パッド１の平面状の面に予め粘着性を有する接着剤３が塗布され、その上に剥離紙４が設けられており、剥離紙を剥がしてから被補修箇所の上に接着固定して補修することを特徴とする請求項１記載の靴の内側の補修用パッド及びその補修方法。
【請求項３】
軟質弾性体２に高強度、耐磨耗性の皮膜に軟質弾性体を密着させた構成の成形品を採用することを特徴とする請求項１、２記載の靴の内側の補修用パッド及びその補修方法。
【発明の詳細な説明】
【技術分野】
【０００１】
本発明は、靴の内側の踵部や側面などの補修用パッド及びその補修方法に関するものである。
【背景技術】
【０００２】
革製などのビジネスシューズやスポーツシューズなどの殆んどの靴においては、例えば特許文献１に記載されているように、足にフィットさせて履き心地を良くすることなどを目的として表素材と裏素材との間にウレタンスポンジなどの軟質弾性体を使用したクッション材を配する構成が採用されており、最近では良いものを耐久消費材的に長い期間に亘って履こうとする傾向が見られるが、実際に長く履いていると、靴の底や外側には良好な材料が開発され耐久性が著しく良好になっているけれども、靴の内側は相対的に弱く、特に踵部の内側などの足と強く当る部分のクッション材などが磨耗して破れたり消失するなどの問題が発生しているが、修理の専門の業者が著しく少なくなっていることや、自分で簡単に補修できないことなどから、充分に使用可能であるにも拘わらず捨ててしまっている現状がある。
【特許文献１】特許公開２００２−２８２０１３号公報
【発明の開示】
【発明が解決しようとする課題】
【０００３】
前記したように、ビジネスシューズやスポーツシューズなどの殆んどの靴においては、内側にクッション材などを配する構成が採されているが、長く履いていると、踵部などの足と強く当る部分のクッション部が特に耐久性が乏しく、磨耗して破れたり消失して見苦しくなったり、靴の硬い素材と足が直接接触して擦れることによって履いている靴下が短期間で部分的に薄くなったり、破けたり、足にまめが出来たり、靴と足の間にガタが出て一体感が乏しくなつて履き心地が悪くなるなどの多くの問題点を簡単に解決することを課題としている。
【課題を解決するための手段】
【０００４】
前記課題を解決するために、靴の踵部などの形状に合わせて成形したクッション材を接着剤で接着したり、予め粘着性を有する接着剤を塗布した状態の補修用パッドとして市販し、必要とする人がこれを購入して使用することによって、一般の人でも極めて簡単に補修出来るようにする手段を採用した。
【発明の効果】
【０００５】
長い期間に亘って履いた靴の踵部などのクッション部が磨耗して破けたり消失した部分に、靴の踵部などの内側形状に合わせて成形したクッション材に予め両面接着剤を塗布するなどの補修用パッドを使用することによって、一般の人でも簡単に補修することが可能となり、靴の内側が破けて見苦しいことや、靴の硬い素材と足が直接接触して擦れることによって靴下が短期間で部分的に薄くなったり、破けたり、足にまめが出来たり、靴と足の間にガタが出て一体感が乏しくなつて履き心地が悪くなるなどの多くの問題を極めて簡単で安価に確実に解決できると同時に、多くの人が、使い捨てではなく、良いものを長く使用する習慣を身に付け易くすることによって現代社会の課題である省資源、環境負荷の低減なども図れるなどの効果を奏する。
【発明を実施するための最良の形態】
【０００６】
図１は、本発明における靴の踵部の修理用パッド１の実施例であり、（ａ）が平面図、（ｂ）
が側断面図であるが、（ａ）の平面図のように補修用パッド１は、縦に長い長方形で端部にＲを持たせ、（ｂ）の側断面図に示すように一方が平面状、他の一方が曲面状で中央付近が厚く、隅が薄くなった軟質弾性体２の平面状の面に粘着性を有する接着剤３が全面に塗布され、その上に剥離紙４を設けた構成となっている。
【０００７】
図２は、本発明における上記の靴の踵部に実際に修理した場合の側断面図であるが、外革５の内側に裏革６で覆ったクッション材７を配した構成の革靴において、磨耗欠損部８
を覆うように、剥離紙４を剥がした補修用パッド１を位置合わせしながら押圧接着することによって極めて簡単に補修が可能となる。
【０００８】
前記の例は、靴の踵部の補修の場合の例であるが、本発明においては、踵部に限定されず、同様の構成のパッドで、靴の側面内側などのあらゆる部分の補修にも採用可能である。
【０００９】
本発明における軟質弾性体２は、軟質でゴム弾性を有し長期押圧に対して永久変形しにくい材質が望ましいが、例えば独立発泡タイプのウレタン樹脂が特に適性が高く、それ以外に独立発泡のポリオレフィン樹脂やサーリン樹脂やＥＶＡ樹脂などの軟質樹脂も採用可能であり、また高強度、耐磨耗性の合成皮革などの薄い皮膜の内側に独立発泡樹脂を密着させた構成の成形品を採用すれば更に耐久性や使用感を向上できる。
【００１０】
また、本発明においては、図１に示すように靴の踵の補修用として単独で販売してもよいし、例えば、図３に示すように補修部位の数箇所用に色々な大きさと形状の補修用パッド１を剥離紙４に接着した補修用セットとして販売してもよい。
【図面の簡単な説明】
【００１１】
【図１】本発明における補修用パッドの（ａ）は正面図、（ｂ）は側断面図である。
【図２】本発明における補修用パッドの実際の使用状態を示す側断面図である。
【図３】本発明における補修用セットの平面図である。
【符号の説明】
【００１２】
１    補修用パッド                  ２    軟質弾性体
３    接着剤                        ４    剥離紙
５    外革                          ６    裏革
７    クッション材                  ８    磨耗欠損部
【図１】
2009011407.tif 000003
【図２】
2009011407.tif 000004
【図３】
2009011407.tif 000005
(57)【要約】【課題】係員が紙コップの中が空であることを確認することを不要とし，また，紙コップを下げてくれるよう客が係員に対して要求する煩わしさを著しく軽減できる紙コップを提供する。【解決手段】紙コップ１は，コップ本体１０と，コップ本体１０の外側面１１に設けられた表示部材２０とを有し，表示部材２０の一部２１がコップ本体１０の上部１２より上方へ突出可能に構成されている。客は，飲み物を飲み終わる等して紙コップ１を下げて欲しい場合，表示部材２０の表示片２３を折り曲げ部２４の上方へ回動させるようにして起立させ，表示片２３の頭部２１をコップ本体１０の上部１２より上方へ突出させる。【選択図】図１
2009011410.tif 000002
【特許請求の範囲】
【請求項１】
コップ本体と，このコップ本体の外側面に設けられた表示部材とを有し，この表示部材の一部がコップ本体の上部より上方へ突出可能に構成されていることを特徴とする紙コップ。
【発明の詳細な説明】
【技術分野】
【０００１】
本発明は、主として使い捨てのコップとして用いられる紙コップ（薄肉プラスチックコップを含む。以下同じ）に関するものである。
【背景技術】
【０００２】
従来，使い捨てのコップとして紙コップが知られている（例えば特許文献１）。
このような紙コップは，例えば新幹線等の列車や旅客機において，係員が乗客（客）に対し飲み物を提供する際に利用され，通常，中身が飲み干された後に係員によって回収される。
紙コップの回収は，具体的には，係員が紙コップの中が空であることを確認して，客にコップを回収してもよいか否かを確認した後になされ，あるいは客が係員に紙コップを下げてくれるように要求することによってなされていた。
【０００３】
しかし，係員が紙コップの中が空であることを確認することは困難であることもあるし，また，客によっては係員に対し紙コップを下げてくれるように要求することを煩わしく感じる人もいる。
【特許文献１】特開２００６−１６０３５６号公報
【発明の開示】
【発明が解決しようとする課題】
【０００４】
この発明の課題は，係員が紙コップの中が空であることを確認することを不要とし，また，紙コップを下げてくれるよう客が係員に対して要求する煩わしさを著しく軽減できる紙コップを提供することにある。
【課題を解決するための手段】
【０００５】
上記課題を解決するために、請求項１記載の紙コップは、コップ本体と，このコップ本体の外側面に設けられた表示部材とを有し，この表示部材の一部がコップ本体の上部より上方へ突出可能に構成されていることを特徴とする。
【発明の効果】
【０００６】
この発明の紙コップによれば，客は，紙コップを下げて欲しい場合，表示部材の一部をコップ本体の上部より上方へ突出させるだけで足りる。
係員は，表示部材の一部がコップ本体の上部より上方へ突出している場合，そのコップについては客が下げて欲しいと要求しているものと理解して，そのコップを下げることができる。
したがって，この発明の紙コップによれば，係員が紙コップの中が空であることを確認することを不要とし，また，紙コップを下げてくれるよう客が係員に対して要求する煩わしさを著しく軽減できる。
【発明を実施するための最良の形態】
【０００７】
以下本発明の一実施の形態について図面を参照して説明する。
図１は本発明に係る紙コップの一実施の形態を示す正面側から見た斜視図，図２は背面側から見た部分斜視図，図３はさらに別角度から見た表示部材使用前の状態を示す斜視図である。
【０００８】
これらの図に示すように，この紙コップ１は，コップ本体１０と，このコップ本体１０の外側面１１に設けられた表示部材２０とを有し，この表示部材２０の一部２１がコップ本体１０の上部１２より上方へ突出可能に構成されている。
【０００９】
コップ本体１０は，従来知られている公知の紙コップ（紙あるいは薄プラスチックからなるコップ）である。
表示部材２０は，紙片あるいは薄プラスチック片で構成され，コップ本体１０の外側面１１に接着等で固着された基部２２と，この基部２２と一体でかつ基部２２に対して図３に示すように下方に折り曲げ可能かつ図１，図２に示すように上方へ伸長（起立）可能な表示片２３とを有し，この表示片２３の頭部２１がコップ本体１０の上部１２より上方へ突出する上記一部（２１）を構成している。
したがって，図３に示すように，表示片２３の長さＬ１は，表示部材の折り曲げ部２４からコップ本体１０の上部１２までの長さＬ２よりも長い。
【００１０】
表示片２３には，Ｕ字形の切り込み２５が設けられており，これによって舌片２６が形成されている。
この舌片２６は，表示片２３の姿勢が安定しない（保持されない）場合に，図１，図２に示すように，当該舌片２６をコップ本体１０の上部１２に掛けて表示片２３の姿勢を保持させるのに用いられる。したがって，舌片２６をコップ本体１０の上部１２に掛けなくても表示片２３の姿勢が保持される場合，この舌片２６は設ける必要はない。
頭部２１には，例えば図１に示すように「飲み終わりました」等のメッセージを印刷等により施しておくことができる。
【００１１】
以上のような紙コップ１によれば，次のような作用効果が得られる。
この紙コップ１は，図３に示すように表示片２３が下方に折り畳まれた状態で，飲料が入れられて客（例えば旅客機等の乗客であるが，一般の飲食店の客も含む）に提供される。
客は，飲み物を飲み終わる等して紙コップ１を下げて欲しい場合，図３に示した状態から表示部材２０の表示片２３を折り曲げ部２４の上方へ回動させるようにして起立させ，図１，図２に示すように表示片２３の頭部２１をコップ本体１０の上部１２より上方へ突出させる。必要があれば，舌片２６をコップ本体１０の上部１２に掛けて表示片２３の姿勢を保持させる。
係員は，表示部材２０の頭部２１がコップ本体１０の上部１２より上方へ突出している場合，そのコップについては客が下げて欲しいと要求しているものと理解して，そのコップを下げることができる。
したがって，この紙コップ１によれば，係員が紙コップ１の中が空であることを確認することを不要とし，また，紙コップ１を下げてくれるよう客が係員に対して要求する煩わしさを著しく軽減できる。
【００１２】
以上、本発明の実施の形態について説明したが、本発明は上記の実施の形態に限定されるものではなく、本発明の要旨の範囲内において適宜変形実施可能である。
【図面の簡単な説明】
【００１３】
【図１】本発明に係る紙コップの一実施の形態を示す正面側から見た斜視図。
【図２】背面側から見た部分斜視図。
【図３】別角度から見た表示部材使用前の状態を示す部分斜視図。
【符号の説明】
【００１４】
１    紙コップ
１０    コップ本体
１１    外側面
１２    上部
２０    表示部材
２１    表示部材の一部
【図１】
2009011410.tif 000003
【図２】
2009011410.tif 000004
【図３】
2009011410.tif 000005
(57)【要約】【課題】鍼治療において、身体に刺入される部分である鍼体に、施術者の手指及び外気に触れるさせることのない治療用鍼を提供する。【解決手段】鍼体を、薄膜体で密封し、施術時に、皮膚に密着した薄膜体を鍼尖が貫通することで、鍼体を施術者の手指及び外気に触れさせることなく体内に刺入できるようにした。【選択図】図１
2009011781.tif 000002
【特許請求の範囲】
【請求項１】
鍼体を、薄膜体で密封することを特徴とした治療用鍼。
【請求項２】
施術時に鍼尖が、鍼体を密封した薄膜体を貫通することを特徴とする請求項１に記載の治療用鍼。
【発明の詳細な説明】
【技術分野】
【０００１】  この発明は、鍼治療に用いる鍼の形態に関する。
【技術背景】
【０００２】  従来、鍼治療において、施術者は指先の感覚が重要であるため、滅菌された治療鍼も素手で扱うことが一般的である。
【発明の開示】
【発明が解決しようとする課題】
【０００３】  しかしながら、従来の技術では、刺入部分である鍼体が施術者の手指などにより汚染される可能性ある。また、患者に刺入した鍼体部分を介しての血液感染症の可能性があった。そこで、この発明では、鍼体が施術者の手指及び外気に触れることなく体内に刺入でき、一連の鍼治療に関し施術者が直接、鍼体に触れることのない治療用鍼を提供することを課題とする。
【課題を解決するための手段】
【０００４】  以上の課題を解決するために、第一発明は、鍼体を薄膜体で密封することを特徴とした治療用鍼とした。
第二発明は、施術時に鍼尖が、鍼体を密封した薄膜体を貫通することを特徴とした治療用鍼とした。
【発明の効果】
【０００５】  第一発明及び第二発明によれば、一連の鍼治療に関し、鍼体は、施術者の手指及び外気に直接触れることなく鍼治療が可能になる。これにより、施術者の手指、外気による鍼体への汚染がなく、また施術者が自らの手指への誤針事故を除けば、施術者が患者に刺入した鍼体を介しての血液感染症の心配がない。
【発明を実施するための最良の形態】
【０００６】この発明の一実施形態を、図１に示す。
鍼体２１の材質は、ステンレス、銀などである、薄膜体３０はチューブ状で一端を閉じ、他端を金属、合成樹脂などからなる鍼柄２０に接着して、鍼体２１を密封する。薄膜体３０の材質は、ポリエチレン、ゴム、ポリ塩化ビニール、プラスチックなどである。しかしその目的から、適度に柔軟性のあるものであれば薄膜体３０の材質に制限はない。チューブ状の薄膜体３０は鍼柄２０の外径と同程度の内径を有し、鍼体２１より若干長く、一端を閉じ他端を鍼柄部で接着し、鍼体２１を密封する。
「実施形態の効果」【０００７】  この実施形態の効果を図２、図３を参照して説明する。
鍼刺入法には、図２の管鍼法と図３の捻鍼法がある。ともに薄膜体３０を除けば従来技術と同様である。【０００８】Ａ及びＡ′は、治療用鍼を体表上にセットした状態で薄膜体３０は皮膚に密着している。Ｂ及びＢ′は、切皮により鍼尖２２が、皮膚に密着していた薄膜体３０を貫通して体内に鍼体２１が１〜２ｍｍ入った状態である。図２では鍼管４０を取り除いた後、Ｃは、目的の深さまで鍼を刺入した状態であり、薄膜体３０は体表上に圧縮されている。Ｄは、鍼体２１を体内より抜き上げた状態で、鍼体２１は、チューブ状の薄膜体内に収納される。【０００９】この、Ａ及びＡ′からＢ及びＢ′そしてＣからＤにいたる一連の操作は、従来の鍼治療においても同様であり、鍼刺入時に鍼体２１を押し手の指５０で挟み固定するといった鍼灸師の伝統的な臨床技術を変えることなく、薄膜体３０を介することで、直接鍼体２１に触れることなく、鍼体２１を体内に刺入することが出来る。薄膜体３０を極薄いものとすることで従来の治療用鍼と比べても大きな使用上の違和感はない。【００１０】指感覚を重要視する鍼灸師は、これら一連の操作を素手で行なうのが通常であり、従来の技術では、指に触れた鍼体２１が体内に入り、体内に入った鍼体２１を手指で触れることになり、鍼の汚染、血液による感染症の可能性もあった。この発明では、これら鍼体２１への施術者の手指、外気などによる汚染、患者の血液による感染症の心配がない。
【図面の簡単な説明】
【００１１】
【図１】本発明の斜視図である。
【図２】管鍼法による本発明の使用例である。
【図３】捻鍼法による本発明の使用例である。
【符号の説明】
【００１２】２０鍼柄
２１鍼体
２２鍼尖
３０薄膜体
４０鍼管
５０押し手
６０体表面
【図１】
2009011781.tif 000003
【図２】
2009011781.tif 000004
【図３】
2009011781.tif 000005
(57)【要約】【課題】水筒と箸のゴミ削減と再利用エネルギー削減すること。【解決手段】持ち運び便利な水筒と箸を取り付け邪魔にならない収納で洗って使い再利用する。【選択図】図２
2009011782.tif 000002
【特許請求の範囲】
【請求項１】
水筒に箸を付けることを特徴とする水筒。
【請求項２】
請求項１の水筒は再利用できる特徴とする。
【請求項３】
請求項１の水筒はハシを格納することを特徴とする。
【請求項４】
請求項１の箸は食事で利用することを特徴とする。
【請求項５】
請求項１の水筒は、プラスチックを特徴とする。
【請求項６】
請求項１の水筒は、アルミ金属を特徴とする。
【請求項７】
請求項１の水筒は、竹を特徴とする。
【請求項８】
請求項１の水筒は、ステンレスを特徴とする。
【請求項９】
請求項１の箸は、分離することを特徴とする。
【請求項１０】
水筒の取っ手部分に箸を収納することを特徴とする。
【請求項１１】
水筒部分にじかに箸を収納することを特徴とする。
【請求項１２】
エコとしてゴミ削減ゴミ減量化を目的とする特徴とする。
【請求項１３】
水筒と箸の栓は共通素材キャップとする特徴とする。
【発明の詳細な説明】
【技術分野】
【０００１】本発明は、ゴミ削減ゴミ減量化や再利用処理の熱エネルギー削減を目的とした水筒と箸の一体型の製造方法に関する。
【背景技術】
【０００２】従来の水筒は、水やお湯やお茶などを入れるだけの水筒だが、持ち運びに不便な為、一般的にはペットボトル等に需要が代わってきているがゴミやプラスチックの再利用されているがゴミ削減ゴミ減量化や再利用処理の熱エネルギー削減には十分である。
【発明が解決しようとする課題】
【０００３】従来の水筒と箸は別々の物なので割り箸の材料では森林破壊そして割り箸の使用後はゴミとして扱われ捨てられていてペットボトルは再利用できる技術があるが再利用させる為の熱エネルギーが環境破壊につながる恐れがある問題がある。
【課題を解決するための手段】
【０００４】上記の問題点を解決するために、本発明は、自分専用の水筒に箸を取り付て、洗って使えて再利用することができる。
【発明を実施するための最良の形態】
【０００５】本発明は、水筒に箸を取付けた物である。【０００６】上記、水筒と箸は交換脱着が可能が好ましい。【０００７】水洗いができるのでより効果的である。
【実施例】
【０００８】実施例について図面を参照して説明すると、図２は、ペットボトル水筒のキャップで水筒と箸の栓をし収納していて容易に製造することができる。
【発明の効果】
【０００９】本発明は以上説明したような形態で実施され、以下に記載されるような効果を奏する。
【００１０】水筒と箸を一体化収納することで持ち運び便利なためゴミ削減と熱エネルギー削減ををすることができる。
【００１１】現在、箸の生産で世界の森林伐採の削減にもなる
【００１２】ゴミ焼却の際の二酸化酸素やダイオキシンの削減やゴミ埋立地のゴミ量削減にもすることができる。
【図面の簡単な説明】
【００１３】
【図１】水筒箸の表面図である。
【図２】水筒箸の表面図である。
【図３】水筒箸の表面図である。
【図４】水筒箸の表面図である。
【符号の説明】
【００１４】１    水筒
２    箸
３    キャップ
４    コップ
５    取っ手
【図１】
2009011782.tif 000003
【図２】
2009011782.tif 000004
【図３】
2009011782.tif 000005
【図４】
2009011782.tif 000006
(57)【要約】【課題】  新品ではないテニスボールの硬さを容易に判定する器具を提供する。【解決手段】  固定された保持板（１）と、押しばね（４）によって力を加えられているピストン（３）に取り付けられた押圧板（２）とで構成されることを特徴とする。【選択図】図１
2009011787.tif 000002
【特許請求の範囲】
【請求項１】
フレームの端に設けられたテニスボールの保持部材と、該フレームの他端に設けられた固定部に固定された押しばねによって力を加えられているピストンに取り付けられた、前記保持部材とでテニスボールを挟んで圧力をかける押圧板と、該ピストンが前記押しばねによって必要以上移動するのを防ぐためのストッパー機構を備えたことを特徴とするテニスボール硬さ判定器。
【発明の詳細な説明】
【技術分野】
【０００１】  本発明は硬式テニスボールの硬さを判定する器具に関するものである。
【背景技術】
【０００２】  硬式テニスにおいては、新しいボールと消耗したボールとでは、飛び方が全く異なってくる。空気の抜けたボールは飛ばないうえ、繊細な打球技法も通用しなくなる。従って練習においても硬いボールを使う必要があり、古いボールの中から硬いボールを選ぶ作業を行っている。従来は指で押してそのへこみ具合で判定していた。
【発明の開示】
【発明が解決しようとする課題】
【０００３】  そのために次のような問題点があった。
（イ）テニスボールは空気圧が高いため指や手の握力で測定できるのは最初の５個くらいが限度である。
（ロ）人の感覚に頼るため、人によって或いは同じ人でも判定にばらつきがでる。
本発明は、これらの問題点を解決するために発明されたものである。
【課題を解決するための手段】
【０００４】  フレームの端にテニスボールの保持部材が設けられている。また、該フレームの他端に設けられた固定部に固定された押しばねによって力を加えられているピストンに押圧板が取り付けられており、この押圧板と前記保持部材とでテニスボールを挟んで圧力をかけでいる。また、該ピストンが前記押しばねによって必要以上移動するのを防ぐためのストッパー機構を備えている。以上を特徴とするテニスボール硬さ判定器である。
【発明の効果】
【０００５】  本発明を使用することによって、判定者の握力の個人差に関係なく、誰でも簡単に定量的な判定をする事が可能となる。
【発明を実施するための最良の形態】
【０００６】  以下、本発明の実施の形態について説明する。
（イ）保持板（１）を長方形状のフレーム（５）の一端に固定し、上部はボールを入れ易くするために外側に曲げてある。
（ロ）押圧板（２）はピストン（３）に取り付けられており、保持板（１）と同様上部を外側に曲げてある。
（ハ）ピストン（３）はフレーム（５）の他端に固定された固定板との間に設けられた押しばね（４）によって、押圧板（２）の方向に力を加えられている。
（ニ）ピストン（３）が押しばね（４）の力によって必要以上に移動するのを防ぐためストッパー（６）が、フレーム（５）に固定されたシリンダー（７）に当たるようにピストン（３）に取り付けてある。
本発明は以上の構成よりなっていえる。
本発明を使用するときは、次のように行う。
硬さを判定するテニスボールを保持板（１）と押圧板（２）の間に挟み込む。するとピストン（３）は押しばね（４）の力に逆らって、ばねを縮める方向に移動する。移動量をピストン（３）に振った目盛り（８）で測定することによりボールの硬さを判定する。移動量が大きい場合はボールが硬いことを示し、移動量が小さい場合はボールが軟らかいことを示す。
【図面の簡単な説明】
【０００７】
【図１】本発明の斜視図
【図２】本発明の使用状態を示す斜視図
【符号説明】
【０００８】    １  保持板
２  押圧板
３  ピストン
４  押しばね
５  フレーム
６  ストッパー
７  シリンダー
８  目盛り
９  固定板
【図１】
2009011787.tif 000003
【図２】
2009011787.tif 000004
(57)【要約】【課題】  銀を利用した消臭剤の製造【解決手段】  銀を触媒反応させ酸化エチレンを不活性にし、この酸化エチレンにオゾンをまぜエチレンを消臭することによってできる消臭剤を使用する【特許請求の範囲】
【請求項１】
銀で酸化エチレンを触媒反応させ不活性にし、オゾンを混ぜることによる消臭剤
【発明の詳細な説明】
【技術分野】
【０００１】  この発明は、消臭剤である。
【背景技術】
【０００２】  既存の銀および酸化エチレン、オゾン
【発明の開示】
【発明が解決しようとする課題】
【０００３】  銀を用いた消臭剤
【課題を解決するための手段】
【０００４】  銀を触媒反応させ酸化エチレンを不活性にし、この酸化エチレンにオゾンをまぜエチレンを消臭することによってできる消臭剤
【発明の効果】
【０００５】  通常用途の消臭剤
(57)【要約】【課題】  調理前野菜の芽、へた、芯を簡単で安全に取り除くための野菜の芽、へた、芯取り具を提供する。【解決手段】  握り取っ手部先端に左右対称の刃を設けたことを特徴とする、野菜の芽、へた、芯取り具。【選択図】図１
2009011785.tif 000002
【特許請求の範囲】
【請求項１】
握り取っ手部先端に左右対称の刃を設け、この刃で野菜の芽、へた、芯を取り除くことを特徴とする野菜の芽、へた、芯取り具。
【発明の詳細な説明】
【技術分野】
【０００１】  本発明は、調理前野菜の芽、へた、芯を簡単に取り除く、野菜の芽、へた、芯取り具に関するものである。
【背景技術】
【０００２】  従来、調理前野菜の芽、へた、芯を取り除く作業には、皮むき器に補助機能として取り付けたものがある。（例えば、特許文献１、特許文献２、特許文献３参照）。
また、包丁に芽取り機能を設けたものもある。（例えば、特許文献４参照）。
【特許文献１】  特開２００７−３７９４８号
【特許文献２】  登録実用新案第３０２４０７４号
【特許文献３】  登録実用新案第３０１０８０９号
【特許文献４】  実開平０７−０３０９７０号
【発明の開示】
【発明が解決しようとする課題】
【０００３】  そのために次のような問題点があった。
調理前野菜の芽、へた、芯を取る処理作業には包丁を使い危険であった、また芽取り具を使用した場合でも他の機能と併用器具であったり、左利き用がなく作業しづらく危険であり、効率も悪かった。
【課題を解決するための手段】
【０００４】  握り取っ手手部先端に、左右対称の刃を設ける。以上を特徴とする野菜の芽、へた、芯取り具である。
【発明の効果】
【０００５】  本発明は、右利き左利き問わず使用でき使用者への危険度を抑えることができるとともに、効率の良い作業が行える野菜の芽、へた、芯取り具を提供できる。
【発明を実施するための最良の形態】
【０００６】  以下、本発明の実施の形態を説明する。
（イ）一端の長い継ぎ手部（４）を設けた十文字の板状の金属からなる短端部３箇所を湾曲させ先端刃（１）を設ける。
（ロ）先端刃（１）より継ぎ手部（４）までの間に横刃（２）と親指乗せ部（３）を設ける。
（ハ）凹凸を有した円柱状の握り取っ手部（５）の先端に取り付け穴（６）を設ける。
（ニ）握り取っ手部（５）先端の取り付け穴（６）に継ぎ手部（４）を差し込み合体させる。
本発明は、以上の構成からなり、本発明を使用するときは握り取っ手部（５）を利き手で握り親指乗せ部（３）に親指を乗せ安定させ、反対の手で野菜を握りこの野菜の芽、へた、芯の脇に先端刃（１）をあて握り取っ手部（５）を持った側の手首を軽く回転させ先端刃（１）で芽、へた、芯をえぐり取る、また芽、へた、芯が深い場合には横刃（２）部分全てを芽、へた、芯の脇に差し込み野菜を回転させ芽、へた、芯の周りを横刃（２）が一回転した所で芽、へた、芯をかき出すように先端刃（１）を引き抜く。
【図面の簡単な説明】
【０００７】
【図１】本発明の斜視図
【図２】本発明の分解斜視図
【図３】本発明の横面図
【図４】本発明の使用状態を示す斜視図
【符号の説明】
【０００８】  １  先端刃
２  横刃
３  親指乗せ部
４  継ぎ手部
５  握り取っ手部
６  取り付け穴
７  指
８  じゃがいも
【図１】
2009011785.tif 000003
【図２】
2009011785.tif 000004
【図３】
2009011785.tif 000005
【図４】
2009011785.tif 000006
(57)【要約】【課題】  本発明は、木べら、お玉、ターナー、レードル等の柄を有する調理器具を、鍋やフライパン等の淵に掛けて置けるようにするための装着具である。従来このような形態で調理器具と一体型になったものは存在するが、収納時や商品の出荷陳列時等にかさばって邪魔になるため、脱着可能な装着具を提供する。【手段】  コの字型の本体上部にスプリング又はネジ式により上下方向に動く棒軸を設け調理器具の柄の部分に本体を固定する。本体下部には鍋等の淵に差し込める程度の隙持部を設け、この隙持部を鍋等の淵に差し込んで、木べら等の調理器具を鍋等の淵に掛け置きできるようにする。【選択図】図１
2009011786.tif 000002
【特許請求の範囲】
【請求項１】
コの字型の本体上部にスプリング又はネジ式により上下に動く棒軸を設け、木べら、お玉、ターナー、レードル等の調理器具の柄の部分に固定できるようにし、本体下部には鍋やフライパン等の淵に入る程度の狭持部を設け、木べら等の柄を有する調理器具を鍋等に掛けて置くことができるようにするための装着具。
【発明の詳細な説明】
【技術分野】
【００１】  本発明は、調理用の木べら、お玉、ターナー、レードル等を、鍋やフライパン等の淵に掛けて置けるようにするための調理用木べら等の装着具に関するものである。
【背景技術】
【００２】  従来、木べら等の柄の部分に突起部を設けたり、柄を変形させて鍋等の淵に掛けて置けるようにするものは知られている。
【発明の開示】
【発明が解決しようとする課題】
【００３】  調理用木べら等を使用する際には次のような課題があった。
（イ）調理中に木べら等を使用する時、一度木べら等を鍋等の中にある具材、汁、ソース等に接触させてしまうと木べら等の先端が汚れてしまい、その木べら等を一旦何処かに置こうとするとその置いた場所を汚してしまうので、布巾やお皿等を敷いて木べら等を置いたりする必要があった。
（ロ）この問題を解決するため木べら等の柄に突起部を設けたり、柄を変形させたりして鍋等の淵に掛けて置けるようにするものがあるが、これらのものは一体型であるため、収納時に邪魔になったり、商品出荷、陳列等にかさばったりする等の問題があった。
本発明は以上のような問題を解決し、この治具がひとつあればいろいろな調理器具に使用でき、収納時や商品出荷時等も邪魔にならず場所をとらないようにするものである。
【課題を解決するための手段】
【００４】  中央を間隙とし上板と下板からなる断面がコの字型の本体の上板に貫通孔を設け、この貫通孔にスプリングを介して棒軸を挿入する。下板の下面に隙持部を設ける。
本発明は以上の構成によりなる、木べら等に脱着可能で調理中に木べら等を鍋等の淵に掛けて置けるようにするための装着具である。
【発明の効果】
【００５】（イ）調理中に木べら等の置き場所を確保する必要がなくなる。
（ロ）脱着可能であるため収納時や商品の出荷陳列時等かさばらない。
（ハ）この治具がひとつあれば、木べら、お玉、ターナー、レードル等の柄を有する様々な調理器具に使用できる。
【発明を実施するための最良の形態】
【００６】  以下、本発明の実施の形態を説明する。
（イ）断面がコの字型の本体（１）の上板（２）に貫通孔（６）を設ける。
（ロ）イ項の貫通孔にスプリング（８）を介して棒軸（４）を挿入する。この棒軸の上部にはつまみ部（７）を下部には加圧部（９）を設ける。
（ハ）本体下板の下面に隙持部（５）を設ける。
（ニ）ロ項のスプリングはネジ式（１２）によって応用することもできる。
本発明を使用する場合は、棒軸つまみを引いてこの装着具を木べら（１０）等の柄の部分に差込んで固定し、下部の隙持部を鍋（１１）等の淵に差込んで木べら等を鍋等の淵で保持する。
【図面の簡単な説明】
【００７】
【図１】斜視図
【図２】使用状態図
【図３】側面図
【図４】正面図
【図５】平面図
【図６】ネジ式の場合の正面図
【符号の説明】
【００８】（１）本体、（２）上板、（３）下板、（４）棒軸、（５）隙持部、（６）貫通孔、
（７）つまみ、（８）スプリング、（９）加圧部、（１０）木べら、（１１）鍋
（１２）ネジ山
【図１】
2009011786.tif 000003
【図２】
2009011786.tif 000004
【図３】
2009011786.tif 000005
【図４】
2009011786.tif 000006
【図５】
2009011786.tif 000007
【図６】
2009011786.tif 000008
(57)【要約】【課題】  ＭＲＩ（Ｍａｇｎｅｔｉｃ  Ｒｅｓｏｎａｎｃｅ  Ｉｍａｇｉｎｇ）法において、直流磁界強度及び高周波の周波数を上げて、感度及び分解能の向上をはかる。【解決手段】  試料を入れる導体円筒の円周上にスロットを設け、外部からの電磁波照射に共振させて、導体円筒の内部に高周波磁界を発生させる。【選択図】図１
2009011788.tif 000002
【特許請求の範囲】
【請求項１】
導体円筒の円周上に単数または複数の電磁波励振用の細長い穴を有するＭＲＩ用共振器。
【請求項２】
請求項１において、導体円筒の異なる円周上にも単数または複数の電磁波励振用の細長い穴を有するＭＲＩ用共振器
【請求項３】
請求項１，２の共振器の外側に導体からなるシールドを有するＭＲＩ用共振器。
【請求項４】
請求項１，２の共振器の電磁波励振用の細長い穴に、円筒の外側向かって終端短絡導波管を取り付けたＭＲＩ用共振器
【発明の詳細な説明】
【技術分野】
【０００１】  本発明は電磁波の共振分野に関するものである。
【背景技術】
【０００２】  ＭＲＩ（Ｍａｇｎｅｔｉｃ  Ｒｅｓｏｎａｎｃｅ  Ｉｍａｇｉｎｇ）は、磁気共鳴現象を利用して体外から非侵襲的に、脳、内臓等の状態を診断することの出来る優れた生体観測技術である。用いられる直流磁界及び高周波電磁界の生体に及ぼす影響が少ないので患者への負担も少ない。特にこの数年来、ｆＭＲＩ（Ｆｕｎｃｔｉｏｎａｌ（機能的）ＭＲＩ）技術の進展が目覚ましく、直流磁界強度及び高周波の周波数を上げることにより感度及び分解能の向上が図られている。現在、バードケージコイルタイプが主流で、周波数の上限は３００ＭＨｚ近辺にあるが、感度および分解能向上のために５００ＭＨｚのボディコイル（ヒト全身を挿入するための共振器）の開発が急務になっている。
【発明の開示】
【発明が解決しようとする課題】
【０００３】  本発明は、感度および分解能向上および磁場強度の均一性向上を目的としている。
【課題を解決するための手段】
【０００４】  本発明は、導体円筒に単数または複数の電磁波励振用の細長い穴を円周上に持つ、すなわち円周スロット（Ｃｉｒｃｕｍｆｅｒｅｎｔｉａｌ  Ｓｌｏｔ、円周方向の細い孔）を持つ共振器に関するものである。この共振器を円周スロットアレイ共振器（Ｃｉｒｃｕｍｆｅｒｅｎｔｉａｌ  Ｓｌｏｔ  Ａｒｒａｙ  Ｒｅｓｏｎａｔｏｒ、Ｃ−ＳＡＲ）と称することにする。基本構造を図１に示す。高周波磁界は図１に破線で示したように発生する。この磁界は従来のバードケージコイルと同様なのでトンネル型ＭＲＩコイルとして用い得る。複数のスロットが同一の円周上にあるがこれらのスロットの間隔は均等であることが望ましい。図２に示すように円周は複数個でも良い。円周の間隔は均一でも不均一でも良い。円筒内部の磁界分布は円周の分布の仕方に依存している。
共振の良さを表すＱの向上と高周波の漏洩を防止する目的で図３に示すように、円筒キャビティと同軸に導体シールド円筒を設けることができるし、図４に示すように、スロットに終端短絡方形導波管を付加することもできる。
なお、寸法の一例を示す。共振周波数が３５１ＭＨｚの場合、円筒共振器の内径：７００ｍｍ、円筒共振器の軸長：３１４１ｍｍ、スロットの幅：６ｍｍ、スロットのループ長：３１０ｍｍ、円筒シールドの内径：１０００ｍｍ、円筒シールドの軸：３１４１ｍｍ。
細長い穴すなわちスロットへの電磁波の給電方法を図５に示した。５０Ω系の同軸ケーブルの内部導体と外部導体をスロットの上下に接触させて、横方向に移動させる。一方円筒の内部に電磁界センサ、例えばループコイルを入れておき、電磁界強度が最大になるところで、同軸ケーブルの２つの導体をスロットに固定する。
または、図６に示すように同軸ケーブルの内部導体をバリコンを通して、スロットの適当な位置に固定する。また、その位置の下部に外部導体も固定して、バリコンを調整して、円筒内部の電磁界が最大になるようにする。
一方、図７に導体シールド付円周スロットアレイ共振器への給電方法の一例を示した。
【発明の効果】
【０００５】  本発明の方法を用いると、以下に示す効果がある。
・今までの周波数上限３００ＭＨｚを５００ＭＨｚまで高くできる。
・５００ＭＨｚという高い周波数でも、人間の全身を共振器に挿入できる。
・磁場発生部が５．６ＧＨｚで１０ｍｍ×１０ｍｍ以上あり、しかも均一性が高い。
【発明を実施するための最良の形態】
【０００６】  現在、多く使用されている共振器はバードケージ型で、この周波数の上限は３００ＭＨｚである。この周波数を５００ＭＨｚまで高めるには、導体円筒に単数または複数の電磁波励振用の細長い穴を円周上に持つ、すなわち円周スロット（Ｃｉｒｃｕｍｆｅｒｅｎｔｉａｌ  Ｓｌｏｔ、円周方向の細い孔）を持つ共振器を用いる。この共振器を円周スロットアレイ共振器（Ｃｉｒｃｕｍｆｅｒｅｎｔｉａｌ  Ｓｌｏｔ  Ａｒｒａｙ  Ｒｅｓｏｎａｔｏｒ、Ｃ−ＳＡＲ）と称する。なお、発生する磁界は従来のバードケージコイルと同様なので、トンネル型ＭＲＩコイルとして用い得る。複数のスロットが同一の円周上にあるが、これらのスロットの間隔は均等であることが望ましい。また、円周は複数個でも良く、円周の間隔は均一でも不均一でも良い。
【実施例】
【０００７】  同一の円周上に一定間隔でスロットを配置し、導体円筒の外部からマイクロ波を照射する。すると、スロットの幅と長さに応じた共振周波数で共振し、導体円筒内部に共振周波数の磁界が発生する。【０００８】  図１のスロットを別の円周上に複数配置した場合で、この場合は導体円筒内の磁場強度が図１の場合よりも均一になる。
【図面の簡単な説明】
【０００９】
【図１】  導体円筒の同一円周にスロット４個を持つ円周スロットアレイ共振器
【図２】  導体円筒の異なる円周に複数のスロットを持つ円周スロットアレイ共振器
【図３】  導体シールド付円周スロットアレイ共振器
【図４】  終端短絡方形導波管付円周スロットアレイ共振器
【図５】  同軸ケーブルを用いた、スロットへの給電方法
【図６】  同軸ケーブルの端部にバリコンを配置して円筒内部の電磁界を最大にする方法
【符号の説明】
【００１０】１  導体円筒
２  磁界
３  スロット
４  円周スロットアレイ共振器
５  導体シールド円筒
６  終端短絡方形導波管
７  同軸ケーブル
８  バリコン
【図１】
2009011788.tif 000003
【図２】
2009011788.tif 000004
【図３】
2009011788.tif 000005
【図４】
2009011788.tif 000006
【図５】
2009011788.tif 000007
【図６】
2009011788.tif 000008